(57)【要約】【課題】  希望通りの遠隔制御ができたかどうかを確認することができるようにすることを目的とする。【解決手段】  リモートコマンダ１００と被制御機器２００とより成り、このリモートコマンダ１００よりのリモコン信号をこの被制御機器２００に送り、その後この被制御機器においてこのリモコン信号の制御が成されたときに、この被制御機器２００がこのリモートコマンダ１００もしくは他の被制御機器を介してこのリモートコマンダ１００に応答信号を送るようにしたものである。【選択図】        図１
2006238382.tif 000002
【特許請求の範囲】
【請求項１】
リモートコマンダと被制御機器とより成り、
前記リモートコマンダよりのリモコン信号を前記被制御機器に送り、その後前記被制御機器において前記リモコン信号の制御が成されたときに、前記被制御機器が前記リモートコマンダもしくは他の被制御機器を介して前記リモートコマンダに応答信号を送るようにしたことを特徴とする遠隔制御システム。
【請求項２】
請求項１記載の遠隔制御システムにおいて、
前記リモートコマンダはモニターに設けられたことを特徴とする遠隔制御システム。
【請求項３】
請求項１記載の遠隔制御システムにおいて、
前記応答信号は前記リモコン信号を利用することを特徴とする遠隔制御システム。
【請求項４】
請求項１記載の遠隔制御システムにおいて、
前記リモコン信号の制御の完了を文字、光、音、振動、画像等の確認手段にて使用者に知らせるようにしたことを特徴とする遠隔制御システム。
【請求項５】
請求項１記載の遠隔制御システムにおいて、
前記リモートコマンダと前記被制御機器との間の通信を、無線、有線又はインターネットで行うようにしたことを特徴とする遠隔制御システム。
【請求項６】
リモートコマンダよりのリモコン信号を被制御機器に送るステップと、
その後前記被制御機器において、前記リモコン信号の制御を行うステップと、
前記被制御機器の前記リモコン信号の制御が完了したときに前記被制御機器が前記リモートコマンダもしくは他の被制御機器を介して前記リモートコマンダに応答信号を送るステップとを有することを特徴とする遠隔制御方法。
【請求項７】
リモコン信号を被制御機器に送った後に、前記被制御機器よりの前記リモコン信号の制御が完了したことを知らせる応答信号を受けるようにしたことを特徴とするリモートコマンダ。
【請求項８】
リモートコマンダよりのリモコン信号の制御が完了したときに、前記リモートコマンダに応答信号を送るようにしたことを特徴とする被制御機器。
【発明の詳細な説明】
【技術分野】
【０００１】
本発明は、モニターとベースステーションとの間をワイヤレス通信等で接続するようにし、家の中のキッチン、ベッドルーム、バスルーム等や庭でもテレビ放送やビデオを楽しめるようにしたワイヤレスモニターシステムに適用して好適な遠隔制御システム、遠隔制御方法、リモートコマンダ及び被制御機器に関する。
【背景技術】
【０００２】
従来、モニターとベースステーションとの間をワイヤレス通信等で接続するようにし、家の中のキッチン、ベッドルーム、バスルームや庭等どこでもテレビ放送やビデオを楽しめるようにしたワイヤレスモニターシステムが提案されている（特許文献１）。
【０００３】
この特許文献１に示すワイヤレスモニターシステムは、図６に示す如く、モニター１００とベースステーション２００と外部入力装置としてのＳＴＢ（Set-Top box）３００とから成っている。
【０００４】
このモニター１００は、表示素子としてＬＣＤ１０７を備えたものである。このモニター１００は、無線通信によりベースステーション２００と接続され、ベースステーション２００からの情報信号を受信することができるとともに、ベースステーション２００に対して制御信号を送信することができるものである。
【０００５】
ベースステーション２００は、地上波のアナログテレビ放送信号を受信するアンテナ２０１に接続され、アナログテレビ放送信号を選局するチューナを備えるとともに、電話網やインターネットなどの通信ネットワークに接続するための変調復調器であるいわゆるモデムを備え、電話線Ｌを通じて電話網に接続することができるものである。図６において、端子ＭＪは、外部から引き込まれた電話線Ｌとの接続端子（モジュラージャック）である。
【０００６】
また、ベースステーション２００は、外部入力端子を備え、例えば、ＶＴＲ、ＳＴＢ、ＩＲＤ（Integrated Receiver Decoder）、ＤＶＤ（Digital Versatile Disc）装置などの各種の外部入力装置を接続することができるようにされている。図６に示すように、ベースステーション２００には、外部入力装置としてＳＴＢ３００が接続されている。
【０００７】
そして、ベースステーション２００は、自己のチューナにより選局し、復調することにより得たテレビ放送番組の映像信号や音声信号、あるいは、自己のモデムを通じて通信ネットワークから得た映像データや音声データ、あるいは、ＳＴＢ３００からの衛星放送番組の映像信号や音声信号などの情報信号をデータ圧縮して、送信信号を形成し、これをモニター１００に送信することができるものである。
【０００８】
モニター１００は、ベースステーション２００からの送信信号を受信して復調し、復調した送信信号から映像信号を抽出して、この映像信号に応じた映像をＬＣＤ１０７に表示するとともに、復調した送信信号から音声信号を抽出して、この音声信号に応じた音声をスピーカから放音する。
【０００９】
また、モニター１００は、図６にも示すように、例えば、ＳＴＢ３００を遠隔制御するためのリモートコマンダとして操作入力を受け付けるためのコントロールパネルＣＰをＬＣＤ１０７に表示することができるようにされている。
【００１０】
コントロールパネルは、モニター１００の制御部によって実行されるソフトウエアによって表示するようにされるいわゆるソフトウエアキーである。そして、ＬＣＤ１０７には、タッチパネル１２１が貼付されており、コントロールパネルＣＰの表示と、タッチパネル１２１とにより、使用者からの操作入力を受け付けることができるものである。
【００１１】
図６に示すコントロールパネルＣＰは、ＳＴＢ３００用のものであり、電源のオン／オフキー、チャンネル選局のための数字キー、チャンネルのアップ／ダウンキー、音量のアップ／ダウンキーなどを備えたものである。
【００１２】
そして、モニター１００のタッチパネル１２１は、使用者の指などが接触したＬＣＤ１０７に貼付されたタッチパネル１２１上の接触位置（座標位置）を検出し、その接触位置に表示されているコントロールパネルＣＰを構成する操作キー（操作項目）を判別して、その操作キーに応じたリモコン信号を形成し、これをベースステーション２００に無線送信することができるものである。
【００１３】
ベースステーション２００には、リモコンマウスなどと呼ばれる赤外線のリモコン信号を送出するリモコン信号送出部２５０が、リモコン信号送信部２５０との接続端子を通じて接続されており、モニター１００からのリモコン信号に応じた赤外線リモコン信号を形成し、これをリモコン信号送出部２５０からＳＴＢ３００に送信する。
【００１４】
ＳＴＢ３００は、もともと自機のリモートコマンダからの赤外線リモコン信号を受光するためのフォトディテクタなどからなるリモコン信号受光部３３２を備えており、ベースステーション２００に接続されたリモコン信号送信部２５０からの赤外線リモコン信号を受光して、その赤外線リモコン信号に応じた制御、例えば、電源のオン／オフや、選局チャンネルの変更を行うように遠隔制御することができるようにされる。
【００１５】
したがって、使用者は、モニター１００のＬＣＤ１０７に表示されるコントロールパネルＣＰとタッチパネル１２１とを通じて、いわゆるワンタッチでＳＴＢ３００に対する操作入力を行い、ベースステーション２００を通じてＳＴＢ３００を遠隔制御することができるようにしている。
【００１６】
このように、モニター１００とベースステーション２００との間においては、双方向に無線通信が可能であり、また、ベースステーション２００と外部入力装置してのＳＴＢ３００との間においても双方向に通信が可能なようにされている。
【００１７】
そして、モニター１００は、小型化、軽量化がされ、また、ベースステーション２００とは、無線通信により接続するようにされているので、持ち運びに適している。このため、使用者は、ベースステーション２００と通信が可能な範囲内であれば、モニター１００を持ち運び、何処ででもモニター１００を用いて、ベースステーション２００から提供される情報信号を再生して出力し、使用者に提供することができる。
【００１８】
従って、モニター１００を用いることにより、ベースステーション２００のチューナにより選局されるテレビ放送番組を視聴したり、ＳＴＢ３００により選局された衛星放送番組を視聴したり、更にベースステーション２００にＶＴＲやＤＶＤ装置が外部入力装置として接続されている場合には、ＶＴＲやＤＶＤ装置により再生される映画等を視聴することができる。
【特許文献１】特開２００２−３４０２３号公報
【発明の開示】
【発明が解決しようとする課題】
【００１９】
ところで、上述ワイヤレスモニターシステムにおいて、例えば１階にベースステーション２００及びＳＴＢ３００、ＶＴＲ等の外部入力装置が設置されており、２階でモニター１００を視聴している場合に、リモートコマンダであるモニター１００のコントロールパネルＣＰを使用し、ベースステーション２００、ＳＴＢ３００、ＶＴＲ等を遠隔制御したときには、このベースステーション２００、ＳＴＢ３００、ＶＴＲ等を直接見ることができないので、希望する通りの遠隔制御ができたかどうか確認することができず不安であった。
【００２０】
本発明は、斯かる点に鑑み希望通りの遠隔制御ができたかどうかを確認することができるようにすることを目的とする。
【課題を解決するための手段】
【００２１】
本発明遠隔制御システムは、リモートコマンダと被制御機器とより成り、このリモートコマンダよりのリモコン信号をこの被制御機器に送り、その後この被制御機器において、このリモコン信号の制御が成されたときに、この被制御機器がこのリモートコマンダもしくは他の被制御機器を介してこのリモートコマンダに応答信号を送るようにしたものである。
【発明の効果】
【００２２】
本発明によれば、被制御機器において、リモートコマンダよりのリモコン信号の制御が成されたときに、この被制御機器よりリモートコマンダに応答信号を送るようにしたので、希望通りの遠隔制御できたかどうかを確認することができる。
【発明を実施するための最良の形態】
【００２３】
以下、図面を参照して本発明遠隔制御システムを実施するための最良の形態の例につき説明する。
本例では説明を簡単にするため図２に示す如くモニター１００とベースステーション２００と、このベースステーション２００に接続する外部入力装置としてＶＴＲ４００とより成るワイヤレスモニターシステムとする。
【００２４】
まず、リモートコマンダを兼ねたモニター１００の例につき図３を参照して説明するに、モニター１００は、送受信アンテナ１０１、アンテナ共用器１０２、受信処理部１０３、デコード部１０４、ＯＳＤ（On Screen Display）処理部１０５、映像信号処理部１０６、ＬＣＤ１０７、音声信号増幅部１０８、スピーカ１０９、送信信号形成部１１１、送信処理部１１２、タッチパネル１２１、座標検出部１２２を備えている。
【００２５】
このモニター１００の各部は、制御部１３０によって制御するようにされている。制御部１３０は、図３に示すように、ＣＰＵ（Central Processing Unit）１３１、ＲＯＭ（Read Only Memory）１３２、ＲＡＭ（Random Access Memory）１３３、ＥＥＰＲＯＭ（Electrically Erasable Programmable Read Only Memory）１３４がＣＰＵバス１３５を通じて接続されて構成されたマイクロコンピュータである。
【００２６】
ＲＯＭ１３２は、このモニター１００において実行する各種の処理プログラムや処理に必要なデータなどが記録されたものである。また、本例においては、このＲＯＭ１３２に図７に示す如き、外部入力装置としての複数の被制御機器を遠隔制御するリモコンコードのテーブルを記憶する如くする。このリモコンコードのテーブルは制御部１３０により制御され所望のものが読み出される。ＲＡＭ１３３は、各種の処理において得られたデータを一時的に記憶保持するなどのように、主に各種の処理の作業領域として用いられるものである。
【００２７】
ＥＥＰＲＯＭ１３４は、いわゆる不揮発性のメモリであり、電源が落とされても、記憶保持した情報が失われることがなく、例えば、各種の設定パラメータや、詳しくは後述するように、ベースステーション２００を通じて、取得するようにしたインターネット上のホームページを記憶保持することができるものである。
【００２８】
また、制御部１３０には、モデム部１５０が接続されている。モデム部１５０は、インターフェース（以下、Ｉ／Ｆと略称する。）部１５１と、通信部１５２とからなっている。Ｉ／Ｆ部１５１は、通信回線、本例においては電話回線と、このモニター１００との間のインターフェースであり、電話回線を通じて送信されてくる信号を受信したり、モニター１００からの信号を電話回線に送信したりする。
【００２９】
通信部１５２は、Ｉ／Ｆ部１５１を通じて受信した信号を復調して、これを制御部１３０に供給したり、制御部１３０からの送信信号を変調して、これをＩ／Ｆ部１５１に供給する。これにより、電話回線が接続された相手先との間で、各種のデータの送信、受信を行うことができるようにされる。
【００３０】
そして、このモニター１００は、モデム部１５０、電話線Ｌ、及び、所定のＩＳＰ（Internet Service Provider）を通じてインターネットに接続し、インターネットを通じて各種の情報の提供を受けたり、電子メールを送信したり受信したりすることができるようにされている。
【００３１】
このため、制御部１３０は、モデム部１５０を制御して、オフフックしたりオンフックするなどのことができるとともに、オフフックするようにモデム部１５０を制御したときには、ダイヤル信号を電話回線に送出するようにするいわゆるダイヤラとしての機能などをも備えたものである。
【００３２】
まず、ベースステーション２００からの無線信号を受信する場合のモニター１００の動作について説明する。モニター１００とベースステーション２００との間においては、例えば、ＩＥＥＥ（Institute Electrical and Electronics Engineers）８０２．１１方式のプロトコル、あるいは、その発展プロトコルなどの所定のプロトコルが用いられて無線通信が行なわれる。
【００３３】
ベースステーション２００から所定の通信プロトコルに準拠した無線信号は、モニター１００の送受信アンテナ１０１により受信され、アンテナ共用器（以下、単に共用器という。）１０２を通じて受信処理部１０３に供給される。共用器１０２は、送信信号と受信信号とが干渉し合うことを防止するためのものである。
【００３４】
つまり、このモニター１００は、ベースステーション２００からの信号を送受信アンテナ１０１を通じて受信することができるとともに、後述するように、自機からのリモコン信号等を送受信アンテナ１０１を通じて無線送信することができるものである。このため、共用器１０２は、送信処理部１１２からの送信信号が、後述する送受信アンテナ１０１を通じて受信される受信信号に対して干渉することがないようにしている。
【００３５】
受信処理部１０３は、これに供給された信号を復調するなどの処理を行って、復調後の信号をデコード部（伸長処理部）１０４に供給する。ベースステーション２００は、自己のチューナにより選局した地上波のテレビ放送番組の映像信号や音声信号、自己のモデムを通じて受信したテキストデータや映像データなどの表示用データや音声データ、あるいは、ＶＴＲ４００からの映像信号や音声信号などの情報信号をデータ圧縮して送信してくる。
【００３６】
このため、モニター１００のデコード部１０４は、受信処理部１０３からの復調されたデータ圧縮されている信号の供給を受けて、映像信号と音声信号とを分離し、分離した信号を伸長（圧縮解凍）することにより、データ圧縮前の元の信号を復元する。
【００３７】
そして、デコード部１０４は、復元した映像信号と音声信号とをＤ／Ａ変換（デジタル／アナログ変換）し、アナログ映像信号と、アナログ音声信号とを形成する。そして、デコード部１０４は、アナログ映像信号を、ＯＳＤ処理部１０５に供給し、アナログ音声信号を、音声信号増幅部１０８に供給する。
【００３８】
ＯＳＤ処理部１０５は、制御部１３０から供給されるデータに応じて、前述したコントロールパネルＣＰや各種のメッセージを表示するようにするための映像信号処理を行うものであり、放送番組の映像のほかの文字、絵、記号などの表示情報を表示するようにするためのいわゆるテキスト／グラフィック処理回路である。
【００３９】
例えば、使用者からの指示に応じて、コントロールパネルを表示する場合には、これを表示するための情報が、制御部１３０からＯＳＤ処理部１０５に供給される。そして、デコード部１０４からの映像信号に制御部１３０からのコントロールパネルの表示が合成するようにされ、これが映像信号処理回路１０６に供給される。
【００４０】
また、使用者からの指示に応じて、選択するようにされているチャンネルを示す文字情報や音量レベルを示す音量バーなどを表示する場合には、これらを表示するための情報が、制御部１３０からＯＳＤ処理部１０５に供給される。そして、デコード部１０４からの映像信号に制御部１３０からのコントロールパネルの表示が合成するようにされ、これが映像信号処理回路１０６に供給される。
【００４１】
また、コントロールパネルＣＰなどの表示情報を合成する必要がない場合には、ＯＳＤ処理部１０５には、表示情報は供給されないので、デコード部１０４からのアナログ映像信号が、そのまま映像信号処理部１０６に供給される。映像信号処理部１０６は、ＯＳＤ処理部１０５を通じて供給される映像信号から、表示用信号を形成し、これをＬＣＤ１０７に供給する。
【００４２】
これにより、ＬＣＤ１０７の表示画面には、ベースステーション２００から無線送信されてきた映像信号に応じた映像が表示される。この場合、ＯＳＤ処理部１０５において、コントロールパネルなどの表示情報が合成されている場合には、コントロールパネルなどの表示情報が、デコード部１０４からの映像信号による映像とともに表示されることになる。
【００４３】
一方、音声信号増幅部１０８は、これに供給された音声信号を所定のレベルにまで増幅し、これをスピーカ１０９に供給する。これにより、スピーカ１０９からは、ベースステーション２００から無線送信されてきた音声信号に応じた音声が放音される。
【００４４】
このように、モニター１００は、ベースステーション２００から無線送信されてくるテレビ放送番組などの映像信号や音声信号を受信して、その受信した映像信号や音声信号を再生して出力することにより、使用者に提供することができるものである。
【００４５】
次に、このモニター１００のＬＣＤ１０７にコントロールパネルを表示して使用者からのリモートコマンダとしての操作入力を受け付け、この操作入力に応じたリモコン信号をベースステーション２００に送信する場合のモニター１００の動作について説明する。ここでは、図２に示したように、ＶＴＲ４００を制御するようにするためのコントロールパネルＣＰを表示し、ＶＴＲ４００に対する操作入力を受け付ける場合を例にして説明する。
【００４６】
このモニター１００のＬＣＤ１０７には、タッチパネル１２１が貼付されている。そして、モニター１００に電源が投入されている状態にあり、コントロールパネルが表示されていない状態にあるときに、使用者が、タッチパネル１２１に指などを接触させると、座標検出部１２２がタッチパネル１２１上の指などが接触された接触位置（座標位置）を検出し、これを制御部１３０に通知する。
【００４７】
制御部１３０は、コントロールパネルを表示していない状態にあるときに、座標検出部１２２からの接触位置の通知を受けた場合には、これをコントロールパネルの表示指示であると判断する。そして、制御部１３０は、まず、ＶＴＲ４００用のコントロールパネルＣＰを表示するため、ＲＯＭ１３２から必要な情報を読み出し、コントロールパネルＣＰを表示するための情報を形成して、これをＯＳＤ処理部１０５に供給する。
【００４８】
ＯＳＤ処理部１０５は、制御部１３０からの情報の供給を受けて、コントロールパネルＣＰを表示するための映像信号を形成し、これをデコード部１０４からのアナログ映像信号に合成するようにして、図２に示したように、コントロールパネルＣＰをＬＣＤ１０７の表示画面に表示する。
【００４９】
そして、コントロールパネルの表示が、デコード部１０４からの映像信号によるＬＣＤ１０７に表示されている映像を隠すことがないように、制御部１３０は、いわゆるアルファブレンディング技術を用い、コントロールパネルの色の指定に加え、透明度を表すアルファ値（α値）をもコントロールパネルＣＰを表示するための情報に含めて、ＯＳＤ処理部１０５に供給する。
【００５０】
これにより、デコード部１０４からの映像信号によりＬＣＤ１０７に表示される映像を隠すことなく、コントロールパネルＣＰをＬＣＤ１０７に表示することができるようにしている。すなわち、図２に示したように、デコード部１０４からの映像信号による山の映像を隠すことなく、コントロールパネルＣＰが表示するようにしている。そして、ＬＣＤ１０７の表示画面に表示されたコントロールパネルＣＰとタッチパネル１２１とを通じて、使用者からの操作入力を受け付けることができるようにされる。
【００５１】
そして、使用者が、ＬＣＤ１０７の表示画面に表示されたコントロールパネルＣＰの目的とする操作キーが表示されているタッチパネル１２１上の位置に、指などを接触させると、その接触位置が座標検出部１２２により検出され、これが制御部１３０に通知される。制御部１３０は、座標検出部１２２からのタッチパネル１２１上の接触位置に表示されているコントロールパネルＣＰの操作キーを判別し、その操作キーに応じたリモコン信号をＲＯＭ１３２から読みだして送信信号形成部１１１に供給する。
【００５２】
送信信号形成部１１１は、制御部１３０からのリモコン信号をベースステーション２００に送信する送信信号を形成し、これを送信処理部１１２に供給する。送信処理部１１２は、これに供給された送信信号を変調したり増幅するなどの処理を行って、実際に送信する形式の送信信号を形成し、これを共用器１０２、送受信アンテナ１０１を通じてベースステーション２００に対して無線送信する。
【００５３】
このようにして、モニター１００から無線送信されるリモコン信号は、ベースステーション２００により受信される。そして、この例の場合には、ベースステーション２００において、モニター１００からのリモコン信号に応じたＶＴＲ４００用の赤外線リモコン信号が形成され、これがＶＴＲ４００に送信され、ＶＴＲ４００を遠隔制御することができるようにされる。
【００５４】
また、このモニター１００には、インターフェース（図３においてはＩ／Ｆと記載。）１４０を通じて、キー入力部１４１が接続されている。キー操作部１４１は、例えば、電源のオン／オフスイッチなど備えたものであり、このキー操作部１４１を通じて受け付けた操作入力は、Ｉ／Ｆ１４０を通じて制御部１３０に供給され、電源の投入など操作キーに応じた処理を行うことができるようにされる。
【００５５】
なお、ここでは、ＶＴＲ４００用のコントロールパネルＣＰを通じて、ＶＴＲ４００に対するリモコン信号を送信する場合を例にして説明した。しかし、ベースステーション２００に対してもＶＴＲ４００の場合と同様にして、モニター１００を用いて、遠隔操作することができる。
【００５６】
すなわち、モニター１００を通じ、ベースステーション２００を遠隔操作する場合には、ベースステーション２００用のコントロールパネルを表示する。
【００５７】
そして、ベースステーション２００においては、モニター１００からのリモコン信号が、自機に対するものか、自機に接続されたＶＴＲ４００などの外部入力装置に対するものかをこのリモコン信号のメーカーコード、カスタムコード等により判断し、外部入力装置に対するものであるときには、前述したように、外部入力装置に対して送信する。
【００５８】
また、モニター１００からのリモコン信号が、自機に対するものであるときには、そのリモコン信号に応じて、自機を制御する。これにより、モニター１００を通じて、ベースステーション２００においての地上波のアナログテレビ放送信号を選局したり、ベースステーション２００のモデムを通じて、情報の送受を行うことができるようにしている。
【００５９】
なお、ベースステーション２００に対するコントロールパネルは、図６に示したＳＴＢ３００用のコントロールパネルＣＰと同様に、チューナ２０２に対して選局を指示するための数字キー（１〜１２）、チャネルのアップ／ダウンキー、音量のアップ／ダウンキーを備えるとともに、自機のチューナにより選局したテレビ放送信号に応じた信号を出力するのか、自機のモデムを通じて受信した情報に応じた信号を出力するのか、あるいは、自機に接続された外部入力装置からの情報に応じた信号を出力するのかを切り換えるセレクタの切り換えキーなどを有するものである。
【００６０】
そして、ベースステーション２００に対するコントロールパネルを用いることによって、ＳＴＢ３００の場合と同様に、モニター１００を通じて、ベースステーション２００の電源のオン／オフ、チャンネルの変更、ベースステーション２００から送信する信号の切り換えなどを遠隔制御することができようにされている。
【００６１】
次に、図４を参照してベースステーション２００につき説明する。図４に示すように、屋外に設置される地上波のアナログテレビ放送信号の受信アンテナ２０１に接続されるチューナ２０２、復調部２０３、映像信号（Ｖｄ）の入力端子２０４、音声信号（Ａｕ）の入力端子２０５、セレクタ２０６、圧縮処理部２０７、送信信号形成部２０８、送信処理部２０９、アンテナ共用器（以下、単に共用器という。）２１０、送受信アンテナ２１１、受信処理部２１２を備えている。
【００６２】
このベースステーション２００の各部は、制御部２３０によって制御するようにされている。制御部２３０は、図４に示すように、ＣＰＵ２３１、ＲＯＭ２３２、ＲＡＭ２３３、ＥＥＰＲＯＭ２３４がＣＰＵバス２３５を通じて接続されて構成されたマイクロコンピュータである。
【００６３】
ここで、ＲＯＭ２３２は、ベースステーション２００において実行する各種の処理プログラムや処理に必要なデータなどが記録されたものである。ＲＡＭ２３３は、各種の処理において得られたデータを一時的に記憶保持するなどのように、主に各種の処理の作業領域として用いられるものである。
【００６４】
ＥＥＰＲＯＭ２３４は、いわゆる不揮発性のメモリであり、電源が落とされても、記憶保持した情報が失われることがなく、例えば、ベースステーション２００の主電源が落とされる直前まで選局していた放送チャンネルの情報を記憶保持し、電源投入後においては、前回電源が落とされる直前まで選局していたチャンネルの放送信号を選局するようにするいわゆるラストチャンネルメモリ機能を実現することなどができるようにしている。
【００６５】
また、制御部２３０には、モデム部２２０が接続されている。モデム部２２０は、インターフェース（以下、Ｉ／Ｆと略称する。）部２２１と、通信部２２２とからなっている。Ｉ／Ｆ部２２１は、通信回線、本例においては電話回線と、このベースステーション２００との間のインターフェースであり、電話回線を通じて送信されてくる信号を受信したり、ベースステーション２００からの信号を電話回線に送信したりする。
【００６６】
通信部２２２は、Ｉ／Ｆ部２２１を通じて受信した信号を復調して、これを制御部２３０に供給したり、制御部２３０からの送信信号を変調して、これをＩ／Ｆ部２２１に供給する。これにより、電話回線が接続された相手先との間で、各種のデータの送信、受信を行うことができるようにされる。
【００６７】
そして、このベースステーション２００は、モデム部２２０、電話線Ｌ、及び、所定のＩＳＰ（Internet Service Provider）を通じてインターネットに接続し、インターネットを通じて各種の情報の提供を受けたり、電子メールを送信したり受信したりすることができるようにされている。
【００６８】
このため、制御部２３０は、モデム部２２０を制御して、オフフックしたりオンフックするなどのことができるとともに、オフフックするようにモデム部２２０を制御したときには、ダイヤル信号を電話回線に送出するようにするいわゆるダイヤラとしての機能などをも備えたものである。
【００６９】
また、制御部２３０には、リモコン信号形成部２４１、リモコン信号の出力端子２４２を通じて、リモコン信号送出部２５０が接続され、前述もしたように、モニター１００からのリモコン信号に応じた赤外線リモコン信号を形成して、送出することができるようにされている。
【００７０】
なお、図示しないが、制御部２３０には、電源のオン／オフキーや各種の設定キーが設けられたキー入力部が接続されており、ベースステーション２００の主電源のオン／オフや、各種の設定入力が、キー入力部を通じて行うことができるようにされている。
【００７１】
そして、このベースステーション２００のチューナ２０２には、図４に示すように、受信アンテナ２０１により受信されたテレビ放送信号が供給される。チューナ２０２は、受信アンテナ２０１からのテレビ放送信号の中から、制御部２３０からの選局指示信号に応じたテレビ放送信号を選局し、この選局したテレビ放送信号を復調部２０３に供給する。復調部２０３は、これに供給されたテレビ放送信号を復調して、復調後の信号（テレビ番組の信号）をセレクタ２０６供給する。
【００７２】
このセレクタ２０６には、映像信号の外部入力端子２０４を通じて入力された映像信号、音声信号の外部入力端子２０５を通じて入力される音声信号の他、制御部２３０からの情報も供給するようにされている。制御部２３０からセレクタ２０６に供給される情報としては、モデム部２２０を通じて、取り込んだ、例えば、インターネット上に公開されているいわゆるホームページの情報や、電子メールなどの情報である。
【００７３】
そして、セレクタ２０６は、制御部２３０からの切り換え制御信号に応じて、復調部２０３からの信号を出力するか、外部入力端子２０４、２０５からの信号を出力するか、制御部２３０からの信号を出力するかを切り換える。制御部２３０からセレクタ２０６に供給される切り換え制御信号は、モニター１００から無線送信されてくるリモコン信号に応じて、制御部２３０において形成されるものである。
【００７４】
そして、セレクタ２０６からの出力信号は、圧縮処理部２０７に供給される。圧縮処理部２０７は、これに供給された信号を所定の圧縮方式を用いてデータ圧縮する。この圧縮処理部２０６においては、例えば、ＭＰＥＧ方式やＷａｖｅｌｅｔ方式などのデータ圧縮方式を用いて、セレクタ２０６からの信号をデータ圧縮する。
【００７５】
圧縮処理部２０７においてデータ圧縮された信号は、送信信号形成部２０８に供給される。送信信号形成部２０８は、予め決められた通信プロトコルに準拠した送信信号を形成する。このベースステーション２００は、例えば、ＩＥＥＥ（Institute Electrical  and  Electronics Engineers）８０２．１１方式のプロトコル、あるいは、その発展プロトコルに準拠した送信信号を形成する。
【００７６】
送信信号形成部２０８において形成された送信信号は、送信処理部２０９に供給される。送信処理部２０９は、制御部２３０からの制御信号に応じて、送信信号の変調処理や増幅処理を行う。送信処理部２０９において処理された送信信号は、共用器２１０、送受信アンテナ２１１を通じて無線送信される。共用器２１０は、図３に示したモニター１００の共用器１０２と同様に、送信信号と受信信号とが干渉し合うことを防止するものである。
【００７７】
このようにして、チューナ２０２により選局されたテレビ放送番組の映像信号や音声信号、あるいは、外部入力端子２０４、２０５通じて受け付けた映像信号や音声信号、あるいは、モデム２２０を通じて取得した情報のテキストデータや映像データ、音声データを、データ圧縮して、所定の通信プロトコルで無線送信することにより、モニター１００に供給することができるようにされている。
【００７８】
次に、モニター１００から無線送信されてくるリモコン信号を受信した場合のベースステーション２００の動作について説明する。送受信アンテナ２１１を通じて受信したモニター１００からのリモコン信号は、共用器２１０を通じて受信処理部２１２に供給される。受信処理部２１２は、これに供給された信号を復調し、Ａ／Ｄ（アナログ／デジタル）変換するなどの処理を行って、制御部２３０が扱える信号に変換し、この信号を制御部２３０に供給する。
【００７９】
制御部２３０は、受信処理部２１２からの信号が、外部入力機器、ＶＴＲ４００に対するリモコン信号であるときには、受信したリモコン信号をリモコン信号形成部２４１に供給する。
【００８０】
リモコン信号形成部２４１は、制御部２３０からの信号に基づいて、外部入力装置であるＶＴＲ４００に供給する赤外線リモコン信号を形成し、これを出力端子２４２を通じて、これに接続されたリモコン信号送信部２５０に供給する。
【００８１】
リモコン信号送信部２５０は、リモコン信号形成部２４１からのリモコン信号を赤外線のリモコン信号として送信する。このようにして、モニター１００からのＶＴＲ４００に対するリモコン信号を赤外線のリモコン信号として送出し、ＶＴＲ４００を遠隔制御することができるようにしている。
【００８２】
また、制御部２３０は、受信処理部２１２からの信号が、自機、すなわち、ベースステーション２００に対するリモコン信号であるときには、受信したリモコン信号に応じて、各部を制御する。これにより、チューナ２０１による選局を変更したり、セレクタ２０６から出力する信号を切り換えたりすることができるようにされる。
【００８３】
また、制御部２３０は、受信処理部２１２からの信号が、目的とするホームページの取得要求や、電子メールの受信要求、あるいは、電子メールの送信要求などであるときには、モデム部２２０を制御し、加入しているＩＳＰとの間に電話回線を接続することによって、インターネットに接続する。
【００８４】
そして、目的とするホームページを取得するようにしたり、自己宛ての電子メールを受信したり、目的とする相手先に電子メールを送信したりすることができるようにされる。
【００８５】
このように、ベースステーション２００は、テレビ放送信号を受信、選局して復調し、この復調したテレビ放送番組の映像信号や音声信号、あるいは、外部入力端子２０４、２０５を通じて供給された外部入力装置からの映像信号、音声信号、あるいは、モデム部２２０および電話回線を通じて供給を受ける映像データや音声データを受信して復調し、この復調した映像データや音声データをデータ圧縮して、所定の通信プロトコルにしたがって無線送信することができるものである。
【００８６】
さらに、ベースステーション２００は、モニター１００から無線送信されてくるリモコン信号を受信し、そのリモコン信号に応じて、自機を制御したり、外部入力装置を制御したりすることができるものである。
【００８７】
本例においては、リモートコマンダであるモニター１００と被制御機器であるベースステーション２００及びＶＴＲ４００との間で図１及び図５のフローチャートに示す如く、リモートコマンダであるモニター１００よりのリモコン信号を無線で被制御機器であるベースステーション２００及びＶＴＲ４００に送り、その後この被制御機器であるベースステーション２００及びＶＴＲ４００において、このリモコン信号の制御が成されたときに、この被制御機器であるベースステーション２００及びＶＴＲ４００がリモートコマンダであるモニター１００に応答信号を送るようにする。
【００８８】
本例のリモートコマンダとしてのモニター１００においては、図１のフローチャートに示す如き動作をするようにする。モニター１００のタッチパネル１２１に接触があったかどうかを判断し（ステップＳ１）、このタッチパネル１２１に接触があったときは図２に示す如くモニター１００の画面に所望のコントロールパネルＣＰを表示する（ステップＳ２）。
【００８９】
次に、このコントロールパネルＣＰに接触があったかを判断し（ステップＳ３）、接触があったときは、接触位置を座標検出部１２２で検出して、この接触位置に応じた制御信号を形成する（ステップＳ４）。
【００９０】
次に、この制御信号が複数あるかどうかを判断し（ステップＳ５）、この制御信号が複数あるときにはＲＡＭ１３３に格納し（ステップＳ６）、ステップＳ７に移行する。また、ステップＳ５で単数のときはステップＳ７に移行する。
【００９１】
ステップＳ７においては、この制御信号に応じＲＯＭ１３２のリモコンコードのテーブルからリモコン信号を読み出す。次に、このリモコン信号を通信部から無線で、被制御機器であるベースステーション２００及びＶＴＲ４００に送信する（ステップＳ８）。次に、ステップＳ９ですべてのリモコン信号が通信部から送信したかを判断し、送信が完了していないときは、制御信号をＲＡＭ１３３から読み出し（ステップＳ１０）、ステップＳ７，Ｓ８を繰り返し、リモコン信号の送信を完了させる。
【００９２】
その後、このリモコン信号により被制御機器であるベースステーション２００及びＶＴＲ４００の制御が完了したとの応答信号の受信を待つ（ステップＳ１１）。この制御が完了したとの応答信号があったときは、制御が完了した旨をモニター１００の画面に表示し、ステップＳ１に戻る。
【００９３】
この応答信号としては、例えば送信したリモコン信号と同じ信号あるいはこれを利用した信号とする。
【００９４】
本例においては、制御が完了したとの応答信号があったときは、制御が完了した旨をモニター１００の画面に表示するので、使用者は遠隔制御の状況を確認することができる。
【００９５】
また本例においては、被制御機器であるベースステーション２００は図５のフローチャートに示す如く動作するようにする。
【００９６】
このベースステーション２００においては、通信部でリモコン信号を受信したかを判断し（ステップＳ２０）、このベースステーション２００で無線のリモコン信号を受信したときには、この受信したリモコン信号がベースステーション２００のリモコン信号かどうかをこのリモコン信号のメーカーコード、カスタムコード等で判断する（ステップＳ２１）。
【００９７】
このリモコン信号がベースステーション２００のリモコン信号であるときには、このリモコン信号に応じた制御信号を形成する（ステップＳ２２）。
その後、その制御信号が複数かどうかを判断し（ステップＳ２３）、単数のときは、その制御を実行する（ステップＳ２４）。
【００９８】
その制御信号が複数のときは、この複数の制御信号をＲＡＭ２３３に格納し（ステップＳ２５）、その後初め制御信号に応じた制御を実行する（ステップＳ２４）。次にすべての制御信号を実行したかを判断し（ステップＳ２６）、していないときは、ＲＡＭ２３３から次の制御信号を読み出し（ステップＳ２７）、この制御信号の制御を実行する（ステップＳ２４）。
【００９９】
ステップＳ２６において、すべての制御信号の制御を実行したときには、実行終了を知らせる応答信号をこのベースステーション２００よりリモートコマンダとしてのモニター１００に無線で送信し（ステップＳ２８）、ステップＳ２０に戻る。この応答信号としては、例えばリモートコマンダであるモニター１００より送信して来るリモコン信号をそのままあるいはこのリモコン信号を利用した信号を送り返すようにしても良い。
【０１００】
ステップＳ２１でリモコン信号がベースステーション２００に対するリモコン信号ではなく、例えばＶＴＲ４００のリモコン信号であるときには、このベースステーション２００より、このリモコン信号を赤外線リモコン信号としてＶＴＲ４００に送信する（ステップＳ２９）。
【０１０１】
次に、ＶＴＲ４００でこの赤外線リモコン信号に応じた制御信号を形成する（ステップＳ３０）。その後、その制御信号が複数かどうかを判断し（ステップＳ３１）、単数のときは、その制御を実行する（ステップＳ３２）。
【０１０２】
その制御信号が複数のときは、この複数の制御信号をＶＴＲ４００のＲＡＭに格納し（ステップＳ３３）、その後初め制御信号に応じた制御を実行する（ステップＳ３２）。次にすべての制御信号を実行したかを判断し（ステップＳ３４）、していないときは、ＲＡＭから次の制御信号を読み出し（ステップＳ３５）、この制御信号の制御を実行する（ステップＳ３２）。
【０１０３】
ステップＳ３２において、すべての制御信号の制御を実行したときには、実行終了を知らせる応答信号をこのベースステーション２００よりリモートコマンダとしてのモニター１００に無線で送信し（ステップＳ２８）、ステップＳ２０に戻る。
【０１０４】
本例によれば、被制御機器であるベースステーション２００及びＶＴＲ４００において、リモートコマンダとしてのモニター１００よりのリモコン信号の制御が成されたときに、この被制御機器のベースステーション２００よりリモートコマンダであるモニター１００に制御完了の応答信号を無線で送信するようにしたので、希望通りの遠隔制御ができたかどうかを確認することができる。
【０１０５】
尚、上述例では応答信号による確認をモニター１００の画面で行うようにしたが、この代わりに文字、音、振動、画像等その他の確認手段であっても良いことは勿論である。
【０１０６】
また、上述例ではモニターをリモートコマンダと兼ねたが、リモートコマンダをモニターと兼ねなくても良いことは勿論である。
【０１０７】
また、上述例では、モニター１００とベースステーション２００との間の通信を無線通信としたが、この代わりに有線通信でも良く、又モニター１００のモデム部１５０とベースステーション２００のモデム部２２０と間を図８に示す如くインターネット５００で接続するようにしても良い。
【０１０８】
このモニター１００とベースステーションとをインターネット５００で接続したときには、例えば自宅のベースステーション２００に繋がっている例えばＶＴＲ４００を外出先でもモニター１００のタッチパネル１２１で遠隔制御することができ、外出先で自宅で録画したビデオ等を楽しむことができる。
【０１０９】
また、本発明は上述例に限ることなく、本発明の要旨を逸脱することなく、その他種々の構成が採り得ることは勿論である。
【図面の簡単な説明】
【０１１０】
【図１】本発明遠隔制御システムの例の説明に供するフローチャートである。
【図２】本発明遠隔制御システムの例を示す構成図である。
【図３】モニターの例を示す構成図である。
【図４】ベースステーションの例を示す構成図である。
【図５】本発明遠隔制御システムの例の説明に供するフローチャートである。
【図６】ワイヤレスモニターシステムの例を示す構成図である。
【図７】リモコンコードのテーブルの例を示す線図である。
【図８】本例の説明に供する構成図である。
【符号の説明】
【０１１１】
１００…モニター、１０１…送受信アンテナ、１０２…アンテナ共用器、１０３…受信処理部、１０４…デコード部、１０５…ＯＳＤ処理部、１０６…映像信号処理部、１０７…ＬＣＤ、１０８…音声信号増幅部、１０９…スピーカ、１１１…送信信号形成部、１１２…送信処理部、１２１…タッチパネル、１２２…座標検出部、１３０…制御部、２００…ベースステーション、２０１…受信アンテナ、２０２…チューナ、２０３…復調部、２０４…映像信号入力端子、２０５…音声信号入力端子、２０６…セレクタ、２０７…圧縮処理部、２０８…送信信号形成部、２０９…送信処理部、２１０…アンテナ共用器、２１１…送受信アンテナ、２１２…受信処理部、２３０…制御部、４００…ＶＴＲ
【図１】
2006238382.tif 000003
【図２】
2006238382.tif 000004
【図３】
2006238382.tif 000005
【図４】
2006238382.tif 000006
【図５】
2006238382.tif 000007
【図６】
2006238382.tif 000008
【図７】
2006238382.tif 000009
【図８】
2006238382.tif 000010